(57)【要約】【課題】  手摺ベルトの表面に、この手摺ベルトの移動方向を見易く表示し、もって転倒事故等の防止と美観保持に適する構成としたエスカレーターの手摺ベルトを提供する。【解決手段】  手摺ベルト５の表面に、これと色調を異にすると共に、その表面部に設けられてその移動方向を表示するために着色された短尺の方向表示マーク体６Ａを複数個貼付けにより設ける一方、方向表示マーク体６Ａと手摺ベルト５の表面部に透明な水系樹脂剤のコーティングでなる被覆層６を設けた。【選択図】図４
2009249181.tif 000002
【特許請求の範囲】
【請求項１】
往路から復路にかけて反転して移動し、表面平坦部と両縁部で形成される断面略Ｃ字形の手摺ベルトを備えたエスカレーターにおいて、前記手摺ベルトの表面に、この手摺ベルトと色調を異にすると共に、その表面部に設けられて、その移動方向を表示するための短尺の着色樹脂フィルムでなる方向表示マーク体を、一定の間隔を有して、その全長方向に複数個設ける一方、前記方向表示マーク体と前記手摺ベルトの表面部を透明な水系樹脂剤でコーティングした被覆層を設けたことを特徴とするエスカレーターの手摺ベルト。
【発明の詳細な説明】
【技術分野】
【０００１】  本発明は、移動する踏段が傾斜路あるいは水平路を形成して乗客輸送を行うエスカレーターの手摺ベルトの構成に関する。
【背景技術】
【０００２】  従来においてエスカレーターの手摺ベルト表面に印刷シートを貼付けて広告や方向表示を行う構成は、たとえば特許文献１に開示されているように、既に提案されている。また、手摺ベルトの表面を単純に水系樹脂剤で被覆して美観を向上させる構成は、たとえば特許文献２に開示されているように、既に提案されている。【０００３】  この特許文献１に記載のエスカレーターの手摺ベルトは、その表面長手方向に方向表示マーク等を表示した印刷シートを貼付けた構成である。また、特許文献２に記載のエスカレーターの手摺ベルトは、その表面に水系樹脂剤でコーティングした構成である。【０００４】
【特許文献１】特開２００６−３４７７６４号公報
【特許文献２】特開２００２−３３８８９８号公報
【発明の開示】
【発明が解決しようとする課題】
【０００５】  上記特許文献１および２に記載の手摺ベルトの構成は、それの出願日から今日に至るまで、
１）  特に特許文献１は乗客による、印刷シートの縁部（手摺ベルトの両縁部）に対しての「はがし行為（いたずら）」により、はがれやめくれが発生する。
２）  これによりエスカレーターの安全装置を動作させ、運転を停止させる事象が発生している。
３）  特に特許文献２は、単純に手摺ベルト表面をコーティングするのみで、文献２のように乗客に対する安全サービス（転倒防止）に貢献するという思想はなく、この点で劣る。
という問題があった。【０００６】  本発明の目的は、踏段の両側に配置された左右一対の手摺ベルトの表面に、手摺ベルトとは異色に着色された短尺の着色樹脂フィルムでなる方向表示マーク体を付し、さらにこの方向表示マーク体と手摺ベルト表面を透明な水系樹脂剤でコーティングすることにより、従来問題とされてきた印刷シートのはがれ（めくれ）とそれにともなう停止事故発生可能性の低減を図ることにある。
【課題を解決するための手段】
【０００７】  本発明は上記目的を達成するために、往路から復路にかけて反転して移動し、表面平坦部と両縁部で形成される断面略Ｃ字形の手摺ベルトを備えたエスカレーターにおいて、前記手摺ベルトに、この手摺ベルトと色調を異にすると共に、その表面部に設けられて、その移動方向を表示するための短尺の着色樹脂フィルムでなる方向表示マーク体を、一定の間隔を有して、その全長方向に複数個設ける一方、方向表示マーク体と手摺ベルトの表面部を透明な水系樹脂剤でコーティングした被覆層を設けたのである。【０００８】  このように、一対の手摺ベルトの表面部に移動方向を表示する方向表示マーク体が存在することにより、エスカレーターに乗り込まんとする利用者（乗客）がエスカレーターの移動速度と方向が視覚的に認知できて、結果として踏段への乗り込みタイミング取りが容易となり、かつ逆乗り込み防止に役立つ構成となる。また、方向表示マーク体を含む手摺ベルトの表面がコーティング剤で被覆されるので方向マーク表示体のはがれ防止と美観保持の両面で利点がある。
【発明の効果】
【０００９】  本発明によれば、従来方式に対していたずらに起因する不具合の解消と美観保持効果を有するエスカレーター用手摺ベルトの構成を提供することができる。
【発明を実施するための最良の形態】
【００１０】  以下、本発明によるエスカレーターの手摺ベルトの一実施の形態を図１〜図４に示すエスカレーターに基づいて説明する。【００１１】  一般にエスカレーター１は、上階床２Ａと下階床２Ｂに装架される主フレーム３と、無端状に連結されて往路から復路にかけて反転して移動する多数の踏段４と、この踏段４の両側に左右一対で設けられ踏段４と同期して往路から復路にかけて反転移動する手摺ベルト５が配置され、この手摺ベルト５は、その断面形状が表面を形成する平坦部５Ａとこれに連なる両側の両縁部５Ｂとで略Ｃ字形をなす幅Ｗ１を有している。そして、手摺ベルト５全長の表面平坦部５Ａ（幅Ｗ２）から両縁部５Ｂにかけての表面には手摺ベルト５の移動方向を表示するために、厚さ８０ミクロン程度の着色樹脂フィルムでなる方向表示マーク体６Ａ、それに被覆層６が透明な水系樹脂剤のコーティングによって設けられている。【００１２】  前記手摺ベルト５は、駆動歯車７の動力をチェーン８を介して駆動ローラ９等に伝達された動力によって摩擦駆動されるもので復路を案内ローラ１０、往路を欄干１１に案内され反転部１１Ａ，１１Ｂで折り返して移動する構成となっている。【００１３】  また、方向表示マーク体６Ａはマークや模様などを印刷した数センチ〜数十センチの短尺材であり、その色調は手摺ベルト５の表面色とは異色の着色樹脂フィルムで、表面平坦部５Ａの幅Ｗ２の範囲内に接着によって設けられている。一方、方向表示マーク体６Ａは、手摺ベルト５の反転部の半円周範囲Ｈ（図１，図２）内に少なくても１個存在する一定間隔Ｐａをおいて複数個配置されており、いま乗り込まんとする利用者（乗客）がエスカレーター１を見ると正面となる符号Ｈの範囲内に１個存在する方向表示マーク体６Ａにより移動速度の速度感と動き方向を確実に視覚に訴えるという作用を発揮するものである。さらに、場合によっては両縁部５Ｂに方向表示マーク体６Ｂを設けることにより、エスカレーター周辺の側方からでも移動速度と移動方向が視覚的に認知でき、乗客の乗り込み易さを向上させることができる。加えて、方向表示マーク体６Ａは、手摺ベルト５表面の色調とは色が異なり（例えば黄色）、そのマークも図示に例示した形に限らず大き目の矢印、三角印、小判印、キャラクターや広告マークなどでも不都合はなく、かつ方向表示マーク体６Ａの間隔Ｐａ内に広告表示体を追加することも可能である。なお、方向表示マーク体６Ａと被覆層６の施工手順は、まず対象の手摺ベルト５の表面の汚れを除去（洗浄工程）し、次に方向表示マーク体６Ａの貼付け、被覆層６のコーティング（皮膜生成工程）、その次に乾燥工程を経て行われる。【００１４】  ここで、方向表示マーク体６Ａは着色品（例えば目立ちやすい黄色、白色など）とし、被覆層６は透明剤（半透明を含む）で、材質的にはウレタン系、アクリル系、ポリエステル系、ナイロン系、エポキシ系など特定しない水系樹脂剤が用いられ、方向表示マーク体６Ａによって方向表示機能を、透明な水系樹脂剤によって方向表示マーク体６Ａの透過表示と手摺ベルト５表面色の透過機能を発揮するようになっている。
以上説明したように、本実施形態によれば、従来方式に比べてはがれなどの不具合がなく、安全面と美観保持も可能な手摺ベルトを提供することができる。【００１５】  なお、上記実施の形態は、一般のエスカレーターを一例に説明したが、隣接踏段同士に段差を有しない動く歩道と通称されるエスカレーターにもそのまま適用することができる。
【図面の簡単な説明】
【００１６】
【図１】本発明によるエスカレーターの手摺ベルトの一実施の形態を示す全体側面図。
【図２】本発明の図１のＸ−Ｘ線に沿う正面図。
【図３】本発明の図２のＹ−Ｙ線に沿う断面図。
【図４】本発明の要点の概念的な単体斜視図。
【符号の説明】
【００１７】１…エスカレーター、４…踏段、５…手摺ベルト
５Ａ…表面平坦部、５Ｂ…両縁部、６…被覆層
６Ａ，６Ｂ…方向表示マーク体
【図１】
2009249181.tif 000003
【図２】
2009249181.tif 000004
【図３】
2009249181.tif 000005
【図４】
2009249181.tif 000006